(57)【要約】【課題】シートヒータを、サーモスタットとともにシートカバーの裏側に性能よく配置することにある。【解決手段】シートカバー４Ｓが、シートの着座側に露出して配置されている第一シートカバー部位３１と、第一シートカバー部位３１とは異なる第二シートカバー部位３２とを有し、シートの着座面（天板メイン部４ａ）を覆っている第一シートカバー部位３１の裏側にシートヒータ１０の発熱部位ＨＡが配置され、第二シートカバー部位３２の裏側にサーモスタット１２が配置されている。【選択図】図３
2018176847.tif 000002
【特許請求の範囲】
【請求項１】
シートの意匠面を構成するシートカバーと、前記シートカバーの裏側に配置されたシートヒータとを備え、前記シートヒータが、通電により発熱可能な発熱部位と、前記発熱部位の温度を調節するサーモスタットとを有する乗物用シートにおいて、
前記シートカバーが、シートの着座側に露出して配置されている第一シートカバー部位と、前記第一シートカバー部位とは異なる第二シートカバー部位とを有し、
シートの着座面を覆っている前記第一シートカバー部位の裏側に前記発熱部位が配置され、前記第二シートカバー部位の裏側に前記サーモスタットが配置されている乗物用シート。
【請求項２】
前記サーモスタットの前記シートカバーを臨む側が、前記シートカバーよりも断熱性に優れている被覆部材で覆われている請求項１に記載の乗物用シート。
【請求項３】
前記第二シートカバー部位が、複数の表皮ピースを縫合することで形成されており、
前記被覆部材の一端が、隣り合う表皮ピースを縫合しているステッチ部に共縫いされて固定されており、前記被覆部材の一端とは反対の他端が、前記第二シートカバー部位に非固定状態で配置されている請求項２に記載の乗物用シート。
【請求項４】
前記乗物用シートが、シートクッションと、前記シートクッションの後部で上方に盛り上がっている土手部位と、前記土手部位の上方に配置されているシートバックとを備えるとともに、前記シートクッションが、前記シートバックに対面配置されている前記土手部位の上面部と、前記上面部の後端から下方に向けて延びている後面部と、前記土手部位の前方に設けられている着座面とを有し、
前記着座面をなす前記第一シートカバー部位の裏側に前記発熱部位が配置され、前記上面部と前記後面部の少なくとも一方を覆っている前記第二シートカバー部位の裏側に前記サーモスタットが配置され、
前記サーモスタットが、前記シートクッションの高さ方向において、前記着座面の配置されている位置以上の高さ位置に配置されている請求項１〜３のいずれか一項に記載の乗物用シート。
【発明の詳細な説明】
【技術分野】
【０００１】
本発明は、意匠面を構成しているシートカバーと、シートカバーの裏側に配置されたシートヒータとを備え、シートヒータが、発熱部位とサーモスタットを有している乗物用シートに関する。
【背景技術】
【０００２】
この種の乗物用シートとして、シートクッションが、表皮部材と、発熱体と、サーモスタットを有している乗物用シートが公知である（特許文献１を参照）。表皮部材は、本発明のシートカバーに相当する面材であり、シート外形をなしている発泡体製パッドを被覆している。また発熱体は、通電により発熱可能なワイヤ状の部材であり、発泡体製パッドと表皮部材の間に配置されている。そしてサーモスタットは、発熱体の温度を調節する立方体状の部材であり、発熱体の後部側に固定されている。公知技術では、発熱体とサーモスタットを表皮部材と発泡体製パッドの間に配置するに際して、発熱体を、シートクッションの着座面となる部分に配置し、サーモスタットを着座面の後部側に配置する。そして発熱体を、サーモスタットによって温度調整しながら発熱させることにより、着座面上の乗員を適切に加温することができる。
【先行技術文献】
【特許文献】
【０００３】
【特許文献１】実開平０５−７４３４８号公報
【発明の概要】
【発明が解決しようとする課題】
【０００４】
ところで公知技術では、サーモスタットを着座面の後部側に配置しているが、この着座面は、乗員の着座する位置であるとともに目立ちやすく人目につきやすい部分である。このため公知技術の構成では、サーモスタットが原因となって着座面に異物感が生じるおそれがあり、さらにサーモスタットの配置された表皮部材が盛り上がるなどして意匠性が損なわれるおそれがあった。本発明は上述の点に鑑みて創案されたものであり、本発明が解決しようとする課題は、シートヒータを、サーモスタットとともにシートカバーの裏側に性能よく配置することにある。
【課題を解決するための手段】
【０００５】
上記課題を解決するための手段として、第１発明の乗物用シートは、シートの意匠面を構成するシートカバーと、シートカバーの裏側に配置されたシートヒータとを備え、シートヒータが、通電により発熱可能な発熱部位と、発熱部位の温度を調節するサーモスタットとを有する。この種の構成においては、シートヒータを、サーモスタットとともにシートカバーの裏側に性能よく（例えば着座性や意匠性を損なうことなく）配置することが望ましい。本発明では、シートカバーが、シートの着座側に露出して配置されている第一シートカバー部位と、第一シートカバー部位とは異なる第二シートカバー部位とを有している。そこでシートの着座面を覆っている第一シートカバー部位の裏側に発熱部位が配置され、第二シートカバー部位の裏側にサーモスタットが配置されている。本発明では、第一シートカバー部位の裏側に配置されているシートヒータの発熱部位にて着座面を加温することができる。またサーモスタットを、相対的に目立ちにくく且つ着座面を構成しない第二シートカバー部位の裏側に配置することで、シートの着座性と意匠性の悪化を極力回避することができる。
【０００６】
第２発明の乗物用シートは、第１発明の乗物用シートにおいて、サーモスタットのシートカバーを臨む側が、シートカバーよりも断熱性に優れている被覆部材で覆われている。本発明では、サーモスタットのシートカバーを臨む側を被覆部材で覆うことにより、サーモスタットを、シート周囲の外部環境の影響を受けにくい状態でシートに配設することができる。
【０００７】
第３発明の乗物用シートは、第２発明の乗物用シートにおいて、第二シートカバー部位が、複数の表皮ピースを縫合することで形成されている。そして被覆部材の一端が、隣り合う表皮ピースを縫合しているステッチ部に共縫いされて固定されており、被覆部材の一端とは反対の他端が、第二シートカバー部位に非固定状態で配置されている。本発明では、被覆部材の一端を、第二シートカバー部位に共縫いして安定的に取付けることができる。そして被覆部材の他端を、第二シートカバー部位に対して非取付け状態としておくことにより、第二シートカバー部位が、被覆部材からの張引などで過度に変形することを好適に回避することができる。
【０００８】
第４発明の乗物用シートは、第１発明〜第３発明のいずれかの乗物用シートにおいて、シートクッションと、シートクッションの後部で上方に盛り上がっている土手部位と、土手部位の上方に配置されているシートバックとを備えている。またシートクッションが、シートバックに対面配置されている土手部位の上面部と、上面部の後端から下方に向けて延びている後面部と、土手部位の前方に設けられている着座面とを有している。そこで本発明では、着座面をなす第一シートカバー部位の裏側に発熱部位が配置され、上面部と後面部の少なくとも一方を覆っている第二シートカバー部位の裏側にサーモスタットが配置されている。そしてサーモスタットが、シートクッションの高さ方向において、着座面の配置されている位置以上の高さ位置に配置されている。本発明では、サーモスタットを、相対的に目立ちにくい上面部と後面部に配置する第二シートカバー部位の裏側に配置することで、シートカバーの意匠性向上に資する構成となる。またサーモスタットの高さ方向の配置位置を調整して、シートヒータの発熱部位に近づけておく。こうすることで発熱部位とサーモスタットをつなげている各種部材（発熱線や電極や配線等）の配索距離を縮めることができ、シートの省電力化とコスト低減に資する構成となる。
【発明の効果】
【０００９】
本発明に係る第１発明によれば、シートヒータを、サーモスタットとともにシートカバーの裏側に性能よく配置することができる。また第２発明によれば、サーモスタットを、シートカバーの裏側により性能よく配置することができる。また第３発明によれば、サーモスタットを、シートカバーの裏側に更に性能よく配置することができる。そして第４発明によれば、サーモスタットを、シートクッションのシートカバーの裏側に性能よく配置することができる。
【図面の簡単な説明】
【００１０】
【図１】乗物用シートの斜視図である。
【図２】シートカバーの斜視図である。
【図３】シートカバーの概略断面図である。
【図４】シートクッション後部の拡大断面図である。
【発明を実施するための形態】
【００１１】
以下、本発明を実施するための形態を、図１〜図４を参照して説明する。各図には、便宜上、乗物用シートの前後方向と左右方向と上下方向を示す矢線を適宜図示することがある。図１の乗物用シート２は、シートクッション４と、シートバック６と、ヘッドレスト８を有する。これらシート構成部材（４，６，８）は、各々、シート骨格をなすシートフレーム（４Ｆ，６Ｆ，８Ｆ）と、シート外形をなすシートパッド（４Ｐ，６Ｐ，８Ｐ）と、シートパッドを被覆するシートカバー（４Ｓ，６Ｓ，８Ｓ）を有する。そしてシートクッション４（詳細後述）の後部にシートバック６の下部が起倒可能に連結されている。また起立状態のシートバック６の上部にヘッドレスト８が配置されている。
【００１２】
［シートクッション］
シートクッション４は、上述の基本構成４Ｆ，４Ｐ，４Ｓと、シートヒータ１０と、サーモスタット１２を有している（各部材の詳細は後述）。そしてシートヒータ１０とサーモスタット１２は、シートクッション４に着座した乗員を効率良く加温する必要上、着座状態の乗員に近いシートカバー４Ｓの裏側に配置されている。この種の構成では、シートカバー４Ｓの裏側に配置されているサーモスタット１２によって、シート性能（着座性や意匠性等）が悪化することは極力回避すべきである。そこで本実施例では、後述する構成によって、シートヒータ１０を、サーモスタット１２とともにシートカバー４Ｓの裏側に性能よく配置することとした。以下、各構成について詳述する。
【００１３】
［基本構成］
図１に示すシートクッション４では、シートパッド４Ｐが、シートフレーム４Ｆ（図示省略）上に配置された状態で後述のシートカバー４Ｓで被覆されている。ここでシートフレーム４Ｆは、典型的に上方視で略矩形の枠体であり、金属や硬質樹脂などの剛性に優れる素材にて形成できる。またシートパッド４Ｐは、乗員を弾性的に支持可能な上方視で略矩形状の部材であり、後述する土手部位２０を有している。このシートパッド４Ｐの材質は特に限定しないが、例えばポリウレタンフォーム（密度：１０ｋｇ／ｍ3〜６０ｋｇ／ｍ3）等の発泡樹脂を例示できる。そして後述の土手部位２０を除くシートパッド４Ｐ部分は、上面（天板メイン部４ａ，左右一対の天板サイド部４ｂ）と、周面（カマチ部４ｃ,フロント部４ｄ）に区分けできる。天板メイン部４ａは、本発明の着座面に相当する略平坦な上面部分であり、シート幅方向である左右方向の中央に形成されている。この天板メイン部４ａは、乗員の着座が可能な幅寸法を有して前後方向に延びている。また各天板サイド部４ｂは、天板メイン部４ａの左方と右方において相対的に上側に突出している上面部分であり、コーナリング走行時等に乗員の側方を支持することができる。またカマチ部４ｃは、シートパッド４Ｐの左側面と右側面をなす周面部分であり、フロント部４ｄは、シートパッド４Ｐの前面をなす周面部分である。
【００１４】
［土手部位］
また土手部位２０は、図１及び図３を参照して、シートパッド４Ｐの後部で上方に向けて盛り上がっている部位である。この土手部位２０は、シートパッド４Ｐそのもので形成されているとともに、天板メイン部４ａと左右の天板サイド部４ｂの後方でこれらを左右方向に横断するように形成されている。そして土手部位２０は、断面視で略矩形状をなして上方に盛り上がっており、図３を参照して、前面部２１ａと、上面部２１ｂと、上方後面部２１ｃと、下方後面部２１ｄを有している。前面部２１ａは、天板メイン部４ａ等の後方で上方且つ後方に延びている傾斜面である。また上面部２１ｂは、前面部２１ａの上端から後方に向けて延長している概ね平坦な面であり、シートバック６の直下に配置されている。また上方後面部２１ｃと下方後面部２１ｄは、土手部位２０を含むシートパッド４Ｐの後面をなす部位であり、上面部２１ｂの後縁から下方に概ね垂直に延びている。
【００１５】
そして上方後面部２１ｃは、図３を参照して、シートパッド４Ｐの着座面となる天板メイン部４ａから水平に後方に延びている仮想線ＶＬを想定した場合、この仮想線ＶＬの上側に位置している後面部の部位である。また下方後面部２１ｄは、仮想線ＶＬの下側に位置している後面部の部位であり、上方後面部２１ｃの下方に途切れなく連続的につながっている。そして本実施例では、仮想線ＶＬが、シートクッション４の高さ方向である上下方向において、着座面となる天板メイン部４ａの配置されている位置を示し、仮想線ＶＬの上側が、天板メイン部４ａの配置されている位置以上の高さ位置を示している。なお仮想線ＶＬを想定する場合には、天板メイン部４ａの上下高さ位置の平均値を基準とすることができ、天板メイン部４ａ中の最も下側（又は上側）に位置する部分の上下高さ位置を基準とすることもできる。
【００１６】
［シートカバー］
シートカバー４Ｓは、図２〜図４を参照して、シートの意匠面を構成する面材であり、後述する被覆部材３６を有している。そしてシートカバー４Ｓは、シートクッション４を正面から見た場合の露出度合を基に、後述の第一シートカバー部位３１と第二シートカバー部位３２とに区分けでき、これら各シートカバー部位３１，３２はいずれも複数の表皮ピースＳＰ，ＳＰ１〜ＳＰ４（詳細後述）で構成されている。ここで各表皮ピースＳＰ，ＳＰ１〜ＳＰ４の材質として、例えば布帛（織物，編物，不織布）や皮革（天然皮革，合成皮革）を用いることができる。また各表皮ピースＳＰ，ＳＰ１〜ＳＰ４の裏側には、パッド材や裏基布を取付けることができる。そして隣り合う表皮ピース同士は、図３及び図４を参照して、これらの縁端同士が中表状に重ねられている縫い代部３４，３４Ａ，３４Ｂで縫合されている（図３及び図４では、便宜上、特定の縫い代部に特定の符号３４Ａ，３４Ｂを付し、その他の縫い代部には共通の符号３４を付している）。そして各縫い代部３４，３４Ａ，３４Ｂは、シートカバー４Ｓの裏側に突出して配置されており、シートパッド４Ｐの対応する溝部（符号省略）内に適宜収納することができる（なお各図では、便宜上、着座面の溝部のみ図示している）。
【００１７】
［第一シートカバー部位］
そして第一シートカバー部位３１は、図２及び図３を参照して、相対的に目につきやすいシートカバー部分であり、複数の表皮ピースＳＰを縫合することで形成されている（図２及び図３では、便宜上、第一シートカバー部位をなす各表皮ピースに共通の符号ＳＰを付す）。この第一シートカバー部位３１は、シートクッション４を正面（図１の前方）から見た場合に、シートの着座側に露出して配置されている表皮ピースＳＰで構成されている。例えば本実施例の乗物用シート２は、前方と左方と右方に別部材が隣接配置されていない状態である。このような場合の第一シートカバー部位３１は、シートパッド４Ｐの上面及び周面（天板メイン部４ａ，左右の天板サイド部４ｂ，左右のカマチ部４ｃ，フロント部４ｄ）と土手部位２０の前面部２１ａを被覆している表皮ピースＳＰで構成できる。
【００１８】
［第二シートカバー部位］
また第二シートカバー部位３２は、図２及び図３を参照して、第一シートカバー部位３１以外のシートカバー部分であり、複数の表皮ピース（第一表皮ピースＳＰ１〜第四表皮ピースＳＰ４）を縫合することで形成されている。この第二シートカバー部位３２は、シートクッション４を正面から見た場合に、第一シートカバー部位３１に比して目立ちにくい箇所に配置されている表皮ピースＳＰ１〜ＳＰ４で構成されている。すなわち第二シートカバー部位３２は、図３に示す土手部位２０の上面部２１ｂ及び後面部２１ｃ，２１ｄを被覆している表皮ピースＳＰ１〜ＳＰ４で構成できる。そして第一表皮ピースＳＰ１は、土手部位２０の上面部２１ｂを覆う表皮ピースであり、上方に配置するシートバック６が邪魔となって、シートの着座側に実質的に露出しない表皮ピースである。また第二表皮ピースＳＰ２〜第四表皮ピースＳＰ４は、土手部位２０を含むシートパッド４Ｐの後面部２１ｃ，２１ｄを被覆する表皮ピースであり、シートの着座側に露出しない表皮ピースである。これら第二表皮ピースＳＰ２と第三表皮ピースＳＰ３と第四表皮ピースＳＰ４は、この順で第一表皮ピースＳＰ１の後端から下方に連なった状態で対応する縫い代部で縫合されている。例えば図４を参照して、第一表皮ピースＳＰ１の後縁端と第二表皮ピースＳＰ２の上縁端とが上方縫い代部３４Ａのステッチ部ＳＥＷで縫合されている。また第二表皮ピースＳＰ２の下縁端と第三表皮ピースＳＰ３の上縁端も同様に下方縫い代部３４Ｂで縫合されている。
【００１９】
［被覆部材］
被覆部材３６は、図３及び図４を参照して、シートカバー４Ｓよりも断熱性に優れる部材であり、シートカバー４Ｓに縫合可能な部材であることが望ましい。この種の被覆部材３６の素材として、ウレタンラミなどの発泡樹脂からなるシート体やボード体やマット体、合成繊維や無機繊維や天然繊維からなる繊維積層体、熱を反射可能な金属層を備えた樹脂フィルムや樹脂板を例示できる。そして被覆部材３６は、後述するサーモスタット１２を網羅可能な略矩形の面材であり、第二表皮ピースＳＰ２の裏側に配置されて、上方後面部２１ｃに対面状に配置されている。この被覆部材３６の上端は、第一表皮ピースＳＰ１と第二表皮ピースＳＰ２の縫合箇所となる上方縫い代部３４Ａのステッチ部ＳＥＷに共縫いされて固定されている。また被覆部材３６の下端は、第二表皮ピースＳＰ２と第三表皮ピースＳＰ３の縫合箇所となる下方縫い代部３４Ｂ付近まで延長されているが、この下方縫い代部３４Ｂには共縫いされておらず自由状態とされている。このように被覆部材３６の上端だけをシートカバー４Ｓに取付ける構成とすることで、第二シートカバー部位３２が、被覆部材３６からの張引などで過度に変形することを好適に回避することができる。なお被覆部材３６の図示しない右端と左端も、第二シートカバー部位３２には固定されておらず自由状態とされている。
【００２０】
また第二シートカバー部位３２側に被覆部材３６を取付けておくことで、シートヒータ側に被覆部材３６を取付けた場合に比して、被覆部材３６を安定的に取付けておくことができる。例えば後述するシートヒータ１０の配置作業時（シートヒータの取り回し時）に、このシートヒータ１０を曲げたり、シートカバー４Ｓやシートパッド４Ｐなどの別部材に接触させたりする。このときシートヒータ１０に被覆部材３６を取付けておくと、この被覆部材３６に無理な力がかかってシートヒータ１０から脱落したり破損したりすることが懸念される。そこで本実施例では、第二シートカバー部位３２側に被覆部材３６を取付けておくことで、被覆部材３６の脱落や破損を極力回避しつつ、シートヒータ１０を適切に取り回すことができる。さらにシートヒータ側に被覆部材３６を取付ける場合には、接着剤や貼り付け工程などが必要となる。これとは異なり本実施例のように第二シートカバー部位３２側に被覆部材３６を共縫いすることで、シートカバー４Ｓの縫製作業と同時に被覆部材３６を取付けることができ、さらに接着剤も不要であるため製造コストの低減に資する構成となる。
【００２１】
［シートヒータ］
シートヒータ１０は、図１〜図３を参照して、上方視で略矩形の面材で構成されており、複数の発熱部位ＨＡと、複数の連結部位ＪＡと、後述のサーモスタット１２を有している（図３では、便宜上、各発熱部位に共通の符号ＨＡを付し、各連結部位にも共通の符号ＪＡを付している）。このシートヒータ１０は、着座面となる天板メイン部４ａに配置可能な幅寸法と、天板メイン部４ａから土手部位２０にかけての部分を網羅可能な長さ寸法とを有している。ここでシートヒータ１０の素材は特に限定しないが、フェルトや布帛や皮革や軟質樹脂シートなどの可撓性を備える素材であることが好ましく、シートカバー４Ｓよりも剛性に優れる素材であることが更に好ましい。
【００２２】
また図３に示す複数の発熱部位ＨＡは、それぞれ通電により発熱可能な部位であり、発熱線や発熱層を比較的に密に配置することで形成できる。この種の発熱線として、炭素繊維のフィラメント、炭素繊維のカバリング糸、金属（銅やアルミニウム等）や合金などの線材、金属や合金でメッキされた線材を例示できる。そして発熱線は、例えば図示しない電源に電気的につながっている電極（又は電極につながる配線）からの通電で発熱可能である。また発熱層は、通電により発熱可能な微粒子や繊維体を含む樹脂層であり、印刷などの手法でシートヒータ１０に形成できる。また連結部位ＪＡは、隣り合う発熱部位ＨＡ同士を連結する部位であり、シートカバー４Ｓの縫い代部３４に対応する位置に設けられている。この連結部位ＪＡは、各発熱部位ＨＡに比して幅寸法が狭小とされており、縫い代部３４が溝部内に収容される際に邪魔とならない構成とされている。
【００２３】
［サーモスタット］
サーモスタット１２は、図１〜図４を参照して、各発熱部位ＨＡの温度を調節する部材であり、略立方体状の筐体と、筐体内に配置されている制御機構を有している（各図では、便宜上、サーモスタットを示す符号１２を筐体に付す）。このサーモスタット１２は、シートヒータ１０の後部に固定されて一体化されており、各発熱部位ＨＡよりも後方に配置されている。そして筐体は、図４に示す展開状態の第二表皮ピースＳＰ２よりも小寸とされており、典型的に金属や樹脂などの剛性に優れる素材で形成されている。また制御機構として、バイメタル式、電子式、油圧式及びロッド・チューブ式の制御機構を用いることができる。そしてサーモスタット１２と発熱部位ＨＡを、各種部材（発熱線の一部や電極の一部や配線）を介してつなげることで、サーモスタット１２にて発熱部位ＨＡの温度を調節可能とする。例えばバイメタル式の制御機構を、発熱線や電極や配線の接点部分（図示省略）に密着可能に配置しておくことにより、各発熱部位ＨＡの通電と非通電の切り替えが可能となる。
【００２４】
［シートヒータとサーモスタットの配設作業］
図３を参照して、シートパッド４Ｐをシートカバー４Ｓで被覆するに際して、シートヒータ１０を、サーモスタット１２とともにシートカバー４Ｓの裏側に配置しておく。そしてシートヒータ１０が、サーモスタット１２によって温度調節されることにより、シートカバー４Ｓ上に着座した乗員を加温する。この種の構成では、シートカバー４Ｓの裏側に配置されているサーモスタット１２によって、シート性能（着座性や意匠性等）が悪化することは極力回避すべきである。そこで本実施例では、シートヒータ１０の各発熱部位ＨＡが、シートの着座面をなす第一シートカバー部位３１の裏側に配置され、サーモスタット１２が、第二シートカバー部位３２の裏側に配置されている。
【００２５】
すなわち本実施例では、シートヒータ１０の各発熱部位ＨＡが、それぞれ着座面をなす天板メイン部４ａを覆っている第一シートカバー部位３１（各表皮ピースＳＰ）の裏側に配置されている。これにより各発熱部位ＨＡから発する熱を、シートカバー４Ｓを介して着座状態の乗員に効率良く伝達することができる。またシートヒータ１０の後側が、土手部位２０と後面部２１ｃ，２１ｄを覆っている第二シートカバー部位３２（各表皮ピースＳＰ１〜ＳＰ４）の裏側に配置されている。そして図３及び図４を参照して、シートヒータ１０後部のサーモスタット１２が、上方後面部２１ｃを覆う第二表皮ピースＳＰ２の裏側に配置されており、この第二表皮ピースＳＰ２は、シートの着座側に露出しない第二シートカバー部位３２である。このようにサーモスタット１２を、相対的に目立ちにくく且つ着座面を構成しない第二シートカバー部位３２の裏側に配置することで、シートカバー４Ｓの着座性と意匠性に悪影響を極力与えない構成とすることができる。
【００２６】
さらに本実施例では、図４を参照して、第二表皮ピースＳＰ２の裏側に取付けられている被覆部材３６によって、サーモスタット１２のシートカバー４Ｓを臨む側（図４では後側）が覆われている。このようにサーモスタット１２が、被覆部材３６で覆われることにより、シート周囲の外部環境（外気温など）の影響を極力受けにくい構成となり、シートヒータ１０を適切に制御することができる。さらにサーモスタット１２は、シートパッド４Ｐの上方後面部２１ｃに対面状に配置されて、図３に示す着座面となる天板メイン部４ａの高さ位置を示す仮想線ＶＬの上側に位置している。このため本実施例では、サーモスタット１２を仮想線ＶＬの下側に配置する場合に比して、発熱部位ＨＡとサーモスタット１２をつなげている各種部材（発熱線や電極や配線等）の配索距離を縮めることができ、シートの省電力化とコスト低減に資する構成となる。
【００２７】
以上説明した通り本実施例では、第一シートカバー部位３１の裏側に配置されているシートヒータ１０の発熱部位ＨＡにて着座面を加温することができる。またサーモスタット１２を、相対的に目立ちにくく且つ着座面を構成しない第二シートカバー部位３２の裏側に配置することで、シートの着座性と意匠性の悪化を極力回避することができる。また本実施例では、サーモスタット１２のシートカバー４Ｓを臨む側を被覆部材３６で覆うことにより、サーモスタット１２を、シート周囲の外部環境の影響を受けにくい状態でシートに配設することができる。そして被覆部材３６の一端（本実施例では上端）を、第二シートカバー部位に共縫いして安定的に取付けることができる。このとき被覆部材３６の他端（本実施例では下端）を、第二シートカバー部位３２に対して非取付け状態としておくことにより、第二シートカバー部位３２が、被覆部材３６からの張引などで過度に変形することを好適に回避することができる。そして本実施例では、サーモスタット１２を、相対的に目立ちにくい上面部２１ｂと後面部２１ｃ，２１ｄに配置する第二シートカバー部位３２の裏側に配置することで、シートカバー４Ｓの意匠性向上に資する構成となる。またサーモスタット１２の高さ方向の配置位置を仮想線ＶＬの上側になるように調整して、着座面側のシートヒータ１０の発熱部位ＨＡに近づけておく。こうすることで発熱部位ＨＡとサーモスタット１２をつなげている各種部材（発熱線や電極や配線等）の配索距離を縮めることができ、シートの省電力化とコスト低減に資する構成となる。このため本実施例によれば、シートヒータ１０を、サーモスタット１２とともにシートカバー４Ｓの裏側に性能よく配置することができる。
【００２８】
本実施形態の乗物用シートは、上述した実施形態に限定されるものではなく、その他各種の実施形態を取り得る。本実施形態では、シートヒータ１０とサーモスタット１２の構成（形状，寸法，配置位置，配置数など）を例示したが、これら各部材の構成を限定する趣旨ではない。例えばシートヒータの発熱部位は、天板メイン部と天板サイド部の少なくとも一方に配置することができ、天板サイド部だけに配置する場合には天板サイド部が着座面となる。またシートヒータの発熱部位を発熱線だけで形成することもでき、この場合のシートヒータは線状の部材となる。またサーモスタットの構成も適宜変更可能であり、第二シートカバー部位の位置関係に対応してシートヒータの適宜の位置に固定しておくことができる。
【００２９】
また本実施形態では、第一シートカバー部位３１と第二シートカバー部位３２の構成（形状，寸法，配置位置，表皮ピースの構成、被覆部材の構成など）を例示したが、これら各シートカバー部位の構成を限定する趣旨ではない。例えば乗物用シートの前方や左方や右方に他部材が隣接して配置されており、この他部材によって対応する表皮ピースが隠されている場合には、この隠されている表皮ピース部分も第二シートカバー部位とみなすことができる。また第二シートカバー部位裏側の適宜の位置にサーモスタットを配置でき、本実施例では、上方後面部のほか、上面部や下方後面部に配置することができる。また各シートカバー部位は、単一の表皮ピースで構成することもできる。また被覆部材は、一端と他端のいずれか一方を第二シートカバー部位に共縫いすることができ、両端を共縫いすることもできる。また被覆部材の一端として、上端と下端と右端と左端のいずれかを採用できる。また被覆部材は、共縫いのほか、他のステッチ部による縫合、接着や融着、ステープルやクリップなどの物理的手法で第二シートカバー部位に固定することができる。なお被覆部材の上端と下端のいずれか（又は双方）を固定する場合には、左端と右端は、第二シートカバー部位に固定してもよく固定していなくともよい。また被覆部材の右端と左端のいずれか（又は双方）を固定する場合には、上端と下端は、第二シートカバー部位に固定してもよく固定していなくともよい。
【００３０】
また本実施形態では、シートパッド４Ｐ及び土手部位２０の構成（形状，寸法，土手部位の形成位置や形成数など）を例示したが、これら各部材などの構成を限定する趣旨ではない。例えば土手部位は、断面視で略矩形のほか、三角や台形等の多角形状や半円や半楕円形状などの各種形状を取ることができ、いずれの土手部位においても上方のシートバックで隠されている部分が生じることとなる。またシートパッド４Ｐの上面全体を略平坦として着座面を構成することもできる。また上方後面部と下方後面部は、面一状に連なっていてもよく、段差状に連なっていてもよい。
【００３１】
また本実施形態では、乗物用シート２の構成（形状，寸法，構成部材など）を例示したが、乗物用シートの構成を限定する趣旨ではない。また本実施例では、シートクッション４を一例に説明したが、本実施例の構成は、シートバック６やヘッドレスト８等の各種シート構成部材のシートカバーに適用できる。例えばシートバック６に本発明の構成を適用する場合、第二シートカバー部位は、シートバックの後面部や下面部を覆う表皮ピースで構成できる。そして本実施形態の構成は、車両や航空機や電車などの乗物用シート全般に適用できる。
【符号の説明】
【００３２】
２     乗物用シート
４     シートクッション
６     シートバック
８     ヘッドレスト
４Ｆ   シートフレーム
４Ｐ   シートパッド
４Ｓ   シートカバー
４ａ   天板メイン部（本発明の着座面）
４ｂ   天板サイド部
４ｃ   カマチ部
４ｄ   フロント部
１０   シートヒータ
ＨＡ   発熱部位
ＪＡ   連結部位
１２   サーモスタット
２０   土手部位
２１ａ 前面部
２１ｂ 上面部
２１ｃ 上方後面部
２１ｄ 下方後面部
３１   第一シートカバー部位
３２   第二シートカバー部位
３４   縫い代部
３４Ａ 上方縫い代部
３４Ｂ 下方縫い代部
３６   被覆部材
ＳＥＷ ステッチ部
ＳＰ   表皮ピース
ＳＰ１ 第一表皮ピース
ＳＰ２ 第二表皮ピース
ＳＰ３ 第三表皮ピース
ＳＰ４ 第四表皮ピース
【図１】
2018176847.tif 000003
【図２】
2018176847.tif 000004
【図３】
2018176847.tif 000005
【図４】
2018176847.tif 000006